(57)【要約】【課題】  組立ての容易な磁気記録再生装置を提供すること。【解決手段】  本発明の磁気記録再生装置は、カセットを装着可能なサブシャーシユニットと、磁気テープに情報を記録するか、および／または、磁気テープから情報を再生する回転ヘッドシリンダを含むメインシャーシユニットと、メインシャーシユニットに搭載されたアイドラとを備え、サブシャーシユニットは、カセットをサブシャーシユニットに装着した状態でカセットのリールロック部のロックを解除するリールロック解除部材と、カセットをサブシャーシユニットに装着した状態でカセットの磁気テープの始端および終端を検出するために光を発する発光素子と、サブシャーシユニットとメインシャーシユニットとを組み合わせた後にアイドラをメインシャーシユニットに搭載することを可能にする手段とをさらに含む。【選択図】  図８
2004311008.tif 000002
【特許請求の範囲】
【請求項１】
カセットを装着可能なサブシャーシユニットであって、
前記カセットは、磁気テープと、第１のリールと、第２のリールと、前記第１のリールおよび前記第２のリールをロックするリールロック部とを有し、
前記サブシャーシユニットは、前記カセットを前記サブシャーシユニットに装着した状態で前記カセットの前記第１のリールと係合する第１のリール台と、前記カセットを前記サブシャーシユニットに装着した状態で前記カセットの前記第２のリールと係合する第２のリール台とを含む、
サブシャーシユニットと、
前記磁気テープに情報を記録するか、および／または、前記磁気テープから情報を再生する回転ヘッドシリンダを含むメインシャーシユニットであって、前記サブシャーシユニットと組み合わせられたメインシャーシユニットと、
前記メインシャーシユニットに搭載されたアイドラであって、前記第１のリール台および前記第２のリール台を駆動する、アイドラと
を備える、磁気記録再生装置であって、
前記サブシャーシユニットは、
前記カセットを前記サブシャーシユニットに装着した状態で前記カセットの前記リールロック部のロックを解除するリールロック解除部材と、
前記カセットを前記サブシャーシユニットに装着した状態で前記カセットの前記磁気テープの始端および終端を検出するために光を発する発光素子と、
前記サブシャーシユニットと前記メインシャーシユニットとを組み合わせた後に前記アイドラを前記メインシャーシユニットに搭載することを可能にする手段と
をさらに含む、磁気記録再生装置。
【請求項２】
前記リールロック解除部材および前記発光素子は、前記サブシャーシユニットとメインシャーシユニットとを組み合わせた後にアイドラをメインシャーシユニットに搭載することを可能にする手段に設けられ、前記リールロック解除部材は、前記発光素子と所定の間隔だけ離れて配置されている、請求項１に記載の磁気記録再生装置。
【請求項３】
前記サブシャーシユニットとメインシャーシユニットとを組み合わせた後にアイドラをメインシャーシユニットに搭載することを可能にする手段は、穴部が設けられたカバープレートを含む、請求項１に記載の磁気記録再生装置。
【請求項４】
前記サブシャーシユニットとメインシャーシユニットとを組み合わせた後にアイドラをメインシャーシユニットに搭載することを可能にする手段は、前記リールロック解除部材が設けられた第１のカバープレートと、前記発光素子が設けられた第２のカバープレートとを含む、請求項１に記載の磁気記録再生装置。
【請求項５】
カセットを装着可能なサブシャーシユニットを提供するステップであって、
前記カセットは、磁気テープと、第１のリールと、第２のリールと、前記第１のリールおよび前記第２のリールをロックするリールロック部とを有し、
前記サブシャーシユニットは、前記カセットを前記サブシャーシユニットに装着した状態で前記カセットの前記第１のリールと係合する第１のリール台と、前記カセットを前記サブシャーシユニットに装着した状態で前記カセットの前記第２のリールと係合する第２のリール台と、前記カセットを前記サブシャーシユニットに装着した状態で前記カセットの前記リールロック部のロックを解除するリールロック解除部材と、前記カセットを前記サブシャーシユニットに装着した状態で前記カセットの前記磁気テープの始端および終端を検出するために光を発する発光素子とを含む、ステップと、
前記磁気テープに情報を記録するか、および／または、前記磁気テープから情報を再生する回転ヘッドシリンダを含むメインシャーシユニットを提供するステップと、
前記サブシャーシユニットと前記メインシャーシユニットとを組み合わせるステップと、
前記サブシャーシユニットと前記メインシャーシユニットとを組み合わせた後、前記サブシャーシユニットの前記第１のリール台および前記第２のリール台を駆動するアイドラを前記メインシャーシユニットに搭載するステップと
を包含する、磁気記録再生装置の組み立て方法。
【請求項６】
前記サブシャーシユニットが、前記磁気テープに情報を記録するか、および／または、前記磁気テープから情報を再生する第１の位置と、前記サブシャーシユニットに前記カセットを装着する第２の位置との間を、前記メインシャーシユニットに対して移動するステップをさらに包含し、
前記メインシャーシユニットにアイドラを搭載するステップは、前記第１の位置と前記第２の位置との間の位置において、前記アイドラを搭載するステップを含む、請求項５に記載の磁気記録再生装置の組み立て方法。
【発明の詳細な説明】
【技術分野】
【０００１】
本発明は、磁気記録再生装置および磁気記録再生装置の組み立て方法に関し、より詳細には、回転ヘッドシリンダにテープを所定の角度巻回して、情報の記録および／または再生を行う磁気記録再生装置および磁気記録再生装置の組み立て方法に関するものである。
【背景技術】
【０００２】
近年、ビデオテープレコーダー等に用いられる磁気記録再生装置は、低価格化、高性能化が進んでいる。
【０００３】
一般に、磁気記録再生装置は、サブシャーシユニットと、メインシャーシユニットと、アイドラとを含んでおり、サブシャーシユニットとメインシャーシユニットとアイドラとを組み立てることによって、磁気記録再生装置は作製される。
【０００４】
以下、従来の磁気記録再生装置２００について図１８から図２３を参照して説明する。
【０００５】
図１８は、従来の磁気記録再生装置２００のサブシャーシユニット２５０の平面図で、図１９は、従来の磁気記録再生装置２００のメインシャーシユニット２６０の平面図で、図２０は、従来のアイドラ２３５の平面図で、図２１は、従来のカバープレート２４２の平面図で、図２２は、従来の磁気記録再生装置２００において、サブシャーシユニット２５０とメインシャーシユニット２６０とアイドラ２３５とを組み合わせた状態の平面図で、図２３は、従来の磁気記録再生装置２００において、サブシャーシユニット２５０とメインシャーシユニット２６０とアイドラ２３５とを組み合わせた後に、さらに、カバープレート２４２をサブシャーシユニット２５０に取り付けた状態の平面図である。
【０００６】
図１８に示されるように、サブシャーシユニット２５０は、サブシャーシ２０１と、サブシャーシ２０１上に設けられた４つのテープ引き出し部材２０２，２０６，２０９，２１０と、サブシャーシ２０１上に回転自在に支持された供給リール台（Ｓリール台）２１１と、サブシャーシ２０１上に回転自在に支持された巻取リール台（Ｔリール台）２１２とを含む。
【０００７】
図１９に示されるように、メインシャーシユニット２６０は、メインシャーシ２２１と、メインシャーシ２２１上に設けられたキャプスタン２３１と、キャプスタン２３１上に植立されたキャプスタン軸２３１ａと、ドライブギア２３２と、タイミングベルト２３３と、センターギア２３４とを含む。
【０００８】
ピンチローラ（図示せず）がキャプスタン軸２３１ａにテープを押圧した状態で、キャプスタン軸２３１ａは回転し、テープを駆動する。キャプスタンギア２３１ｂは、キャプスタン２３１と一体的に構成されている。
【０００９】
ドライブギア２３２は、メインシャーシ２２１上に設けられた回転軸２３２ａにより軸支されている。ドライブギア２３２は、上部ギア２３２ｂと、下部ギア２３２ｃとを含む。タイミングベルト２３３は、ドライブギア２３２の上部ギア２３２ｂとキャプスタンギア２３１ｂとに張架されている。
【００１０】
センターギア２３４は、メインシャーシ２２１上に設けられた回転軸２３４ａにより軸支されている。センターギア２３４は、上部ギア２３４ｂと、下部ギア２３４ｃとを含む。ドライブギア２３２の下部ギア２３２ｃとセンターギア２３４の下部ギア２３４ｃとは、噛み合っている。
【００１１】
図２０に示されるアイドラ２３５は、メインシャーシユニット２６０に搭載される。
【００１２】
アイドラ２３５は、アイドラアーム２３５ａと、アイドラギア２３５ｃとを含む。
【００１３】
磁気記録再生装置２００を組み立てた状態において、アイドラアーム２３５ａは、回動軸２３５ｂの周りに回動自在にメインシャーシ２２１に保持される。アイドラギア２３５ｃは、回転軸２３５ｄを中心に回転自在にアイドラアーム２３５ａに保持される。図示されないアイドラギア押圧部により、アイドラギア２３５ｃは押圧されており、アイドラギア２３５ｃの回転負荷トルクを発生させている。
【００１４】
図２１に示されるように、カバープレート２４２には、その上面に、リールロック解除部２４２ａが設けられている。リールロック解除部２４２ａは、磁気記録再生装置２００を組み立てた状態において、サブシャーシユニット２５０に装着されたカセット内に挿入されて、カセット内に設けられたリールロック機構を解除する。ＬＥＤ２４２ｂは、カセット装着時にカセット内に挿入され、ＬＥＤ２４２ｂが発した光がカセット内部のテープを通過した後、サブシャーシ２０１の両側に設けられたホトセンサー（図示せず）によって感知されることにより、テープの始終端の検知を行う。
【００１５】
図２２は、従来の磁気記録再生装置２００において、サブシャーシユニット２５０とメインシャーシユニット２６０とアイドラ２３５とを組み合わせた状態の平面図である。ここでは、図１９に示されたメインシャーシユニット２６０の上に図１８に示されたサブシャーシユニット２５０を積み重ねて、組み合わせた後、サブシャーシユニット２５０の供給リール台２１１と巻取リール台２１２とを駆動するためのアイドラ２３５が、メインシャーシユニット２６０上に軸承されるように、組み合わされている。
【００１６】
図２３は、従来の磁気記録再生装置２００において、サブシャーシユニット２５０とメインシャーシユニット２６０とアイドラ２３５とを組み合わせた後に、さらに、カバープレート２４２をサブシャーシユニット２５０に取り付けた状態の平面図であり、図２２の状態の後に、図２１に示されたカバープレート２４２がサブシャーシユニット２５０に取り付けられている。
【００１７】
カバープレート２４２には、図示しないカセットのリールロック機構を解除するためのリールロック解除部材２４２ａおよびテープの始終端検知用の発光素子であるＬＥＤ２４２ｂが設けられている。リールロック解除部２４２ａ及びＬＥＤ２４２ｂは、磁気記録再生装置２００の使用時にカセット内に挿入されるため、リールロック解除部材２４２ａおよびＬＥＤ２４２ｂをカセットに最も近接した位置に設けなければならず、そのため、供給リール台２１１と巻取リール台２１２とを駆動するためのアイドラ２３５とカセットとの間に、リールロック解除部材２４２ａ及びＬＥＤ２４２ｂを設けることになる。
【特許文献１】特開平１１−２７３１９６号公報
【発明の開示】
【発明が解決しようとする課題】
【００１８】
しかしながら従来の磁気記録再生装置２００の構成では、磁気記録再生装置２００を組み立てる際に、メインシャーシユニット２６０とサブシャーシユニット２５０とを組み合わせた後、アイドラ２３５を搭載し、その後、リールロック解除部材２４２ａとＬＥＤ２４２ｂが搭載されたカバープレートをサブシャーシユニット２５０に取り付ける必要があった。あるいは、メインシャーシユニット２６０とサブシャーシユニット２５０とを組み合わせた後、アイドラ２３５を搭載し、その後、リールロック解除部材２４２ａおよびＬＥＤ２４２ｂをサブシャーシユニット２５０に取り付ける必要があった。
【００１９】
ＬＥＤ２４２ｂには、通電のため通常フレキシブルプリント板等が半田付けされるので、部品点数が多く、組み立てに工数がかかる大きな部品となる。部品の組み立てに関する流通コストや、総合的な品質管理を考慮した場合、磁気記録再生装置２００の構成部品は、大きなユニットになるのがよい。また、メンテナンス等での磁気記録再生装置２００の分解、組み立て時にも、磁気記録再生装置２００は、大きなユニットに分かれているのが好ましい。従来の磁気記録再生装置２００の構成では、メインシャーシユニット２６０とサブシャーシユニット２５０とを組み合わせる前に、リールロック解除部材２４２ａとＬＥＤ２４２ｂをサブシャーシユニット２５０に事前に取り付けることは不可能であり、これにより、サブシャーシユニットを大きなユニットにできなかった。
【００２０】
本発明は上記従来の問題点を解決するもので、メインシャーシユニットとサブシャーシユニットとを組み合わせた後、アイドラを搭載可能に構成することにより、サブシャーシユニットが大きなユニットになるため、製造コストが安価で、品質がよく、メンテナンス等での装置の分解、組み立てが容易な磁気記録再生装置を提供することを目的とする。
【課題を解決するための手段】
【００２１】
この目的を達成するために、本発明の磁気記録再生装置は、カセットを装着可能なサブシャーシユニットであって、前記カセットは、磁気テープと、第１のリールと、第２のリールと、前記第１のリールおよび前記第２のリールをロックするリールロック部とを有し、前記サブシャーシユニットは、前記カセットを前記サブシャーシユニットに装着した状態で前記カセットの前記第１のリールと係合する第１のリール台と、前記カセットを前記サブシャーシユニットに装着した状態で前記カセットの前記第２のリールと係合する第２のリール台とを含む、サブシャーシユニットと、前記磁気テープに情報を記録するか、および／または、前記磁気テープから情報を再生する回転ヘッドシリンダを含むメインシャーシユニットであって、前記サブシャーシユニットと組み合わせられたメインシャーシユニットと、前記メインシャーシユニットに搭載されたアイドラであって、前記第１のリール台および前記第２のリール台を駆動する、アイドラとを備える、磁気記録再生装置であって、前記サブシャーシユニットは、前記カセットを前記サブシャーシユニットに装着した状態で前記カセットの前記リールロック部のロックを解除するリールロック解除部材と、前記カセットを前記サブシャーシユニットに装着した状態で前記カセットの前記磁気テープの始端および終端を検出するために光を発する発光素子と、前記サブシャーシユニットと前記メインシャーシユニットとを組み合わせた後に前記アイドラを前記メインシャーシユニットに搭載することを可能にする手段とをさらに含む。
【００２２】
前記リールロック解除部材および前記発光素子は、前記サブシャーシユニットとメインシャーシユニットとを組み合わせた後にアイドラをメインシャーシユニットに搭載することを可能にする手段に設けられ、前記リールロック解除部材は、前記発光素子と所定の間隔だけ離れて配置されていてもよい。
【００２３】
前記サブシャーシユニットとメインシャーシユニットとを組み合わせた後にアイドラをメインシャーシユニットに搭載することを可能にする手段は、穴部が設けられたカバープレートを含んでもよい。
【００２４】
前記サブシャーシユニットとメインシャーシユニットとを組み合わせた後にアイドラをメインシャーシユニットに搭載することを可能にする手段は、前記リールロック解除部材が設けられた第１のカバープレートと、前記発光素子が設けられた第２のカバープレートとを含んでもよい。
【００２５】
本発明による磁気記録再生装置の組み立て方法は、カセットを装着可能なサブシャーシユニットを提供するステップであって、前記カセットは、磁気テープと、第１のリールと、第２のリールと、前記第１のリールおよび前記第２のリールをロックするリールロック部とを有し、前記サブシャーシユニットは、前記カセットを前記サブシャーシユニットに装着した状態で前記カセットの前記第１のリールと係合する第１のリール台と、前記カセットを前記サブシャーシユニットに装着した状態で前記カセットの前記第２のリールと係合する第２のリール台と、前記カセットを前記サブシャーシユニットに装着した状態で前記カセットの前記リールロック部のロックを解除するリールロック解除部材と、前記カセットを前記サブシャーシユニットに装着した状態で前記カセットの前記磁気テープの始端および終端を検出するために光を発する発光素子とを含む、ステップと、前記磁気テープに情報を記録するか、および／または、前記磁気テープから情報を再生する回転ヘッドシリンダを含むメインシャーシユニットを提供するステップと、前記サブシャーシユニットと前記メインシャーシユニットとを組み合わせるステップと、前記サブシャーシユニットと前記メインシャーシユニットとを組み合わせた後、前記サブシャーシユニットの前記第１のリール台および前記第２のリール台を駆動するアイドラを前記メインシャーシユニットに搭載するステップとを包含する。
【００２６】
前記サブシャーシユニットが、前記磁気テープに情報を記録するか、および／または、前記磁気テープから情報を再生する第１の位置と、前記サブシャーシユニットに前記カセットを装着する第２の位置との間を、前記メインシャーシユニットに対して移動するステップをさらに包含し、前記メインシャーシユニットにアイドラを搭載するステップは、前記第１の位置と前記第２の位置との間の位置において、前記アイドラを搭載するステップを含んでもよい。
【発明の効果】
【００２７】
本発明によれば、リールロック解除部材と発光素子とを含むサブシャーシユニットを予め形成しておき、そのサブシャーシユニットとメインシャーシユニットとを組み合わせた後に、サブシャーシユニットの第１のリール台および第２のリール台を駆動するアイドラをメインシャーシユニットに搭載することができる。
【００２８】
このように、本発明では、サブシャーシユニットとメインシャーシユニットとを組み合わせる前に、リールロック解除部材と発光素子とを含むサブシャーシユニットを予め形成することができるので、アイドラをメインシャーシユニットに搭載した後でしかリールロック解除部材と発光素子とを取り付けられない従来技術と比べて、磁気記録再生装置の組み立てを容易にすることができる。また、磁気記録再生装置の組み立て途中の部品点数を減らすことができ、部品の管理が容易になる。
【００２９】
本発明によれば、サブシャーシユニットが、リールロック解除部材とテープの始終端検知用の発光素子とを含む大きなユニットとなるため、製造コストが安価で、品質がよく、メンテナンス等での装置の分解、組み立てが容易な磁気記録再生装置が得られるという効果を有する。
【００３０】
また、本発明によれば、サブシャーシユニットが、リールロック解除部材とテープの始終端検知用の発光素子とを搭載したカバープレートが取り付けられた大きなユニットとなるため、製造コストが安価で、品質がよく、メンテナンス等での装置の分解、組み立てが容易な磁気記録再生装置が得られるという効果を有する。
【００３１】
また、本発明によれば、サブシャーシユニットが、リールロック解除部材を搭載した第１のカバープレートとテープの始終端検知用の発光素子を搭載した第２のカバープレートとが取り付けられた大きなユニットとなるため、製造コストが安価で、品質がよく、メンテナンス等での装置の分解、組み立てが容易な磁気記録再生装置が得られるという効果を有する。
【発明を実施するための最良の形態】
【００３２】
以下、本発明の実施の形態について、図１から図１７を用いて説明する。
【００３３】
（実施の形態１）
本発明の磁気記録再生装置は、シャーシがメインシャーシと、サブシャーシの２枚構成となっている。
【００３４】
本発明の磁気記録再生装置は、サブシャーシを含むサブシャーシユニットと、メインシャーシを含むメインシャーシユニットと、アイドラとを含んでおり、サブシャーシユニットとメインシャーシユニットとアイドラとを組み立てることによって、磁気記録再生装置は作製される。
【００３５】
本発明の磁気記録再生装置には、カセットが装着され、その磁気記録再生装は、カセットの磁気テープに情報を記録するか、および／または、磁気テープから情報を再生する。
【００３６】
以下、本発明の磁気記録再生装置１００について図１から図１７を参照して説明する。
【００３７】
最初に、サブシャーシユニットの構成について説明する。
【００３８】
図１は、本発明の磁気記録再生装置１００のサブシャーシユニット５０の平面図である。
【００３９】
サブシャーシユニット５０は、サブシャーシ１と、サブシャーシ１上に設けられた４つのテープ引き出し部材２，６，９，１０と、サブシャーシ１上に回転自在に支持された供給リール台（以下、Ｓリール台ともよぶ）１１と、サブシャーシ１上に回転自在に支持された巻取リール台（以下、Ｔリール台ともよぶ）１２とを含む。４つのテープ引き出し部材２，６，９，１０のそれぞれを、ＴＲアーム２、Ｓボート６、Ｔボート９、Ｔ３アーム１０ともよぶ。
【００４０】
サブシャーシユニット５０は、カセット（ここでは図示せず）を装着可能なように構成されており、カセットを装着する場合、カセットは、サブシャーシ１の手前端部１ｅ側から装着される。ここで、カセットは、磁気テープと、供給リールと、巻取リールと、供給リールおよび巻取リールをロックするリールロック部とを有する一般的な構成である。
【００４１】
Ｓリール台１１は、カセットの供給リールと係合し、Ｔリール台１２はカセットの巻取リールと係合する。
【００４２】
ＴＲアーム２は、サブシャーシ１上の支点２ａの周りに回動自在に支持されている。ＴＲアーム２の一端の表方向にはＴＲポスト２ｂが、他端の裏方向にはＴＲアーム駆動ピン２ｃが設けられている。
【００４３】
Ｔ３アーム１０は、サブシャーシ１上の支点１０ａの周りに回動自在に支持されている。Ｔ３アーム１０の一端の表方向にはＴ３ポスト１０ｂが、他端の裏方向にはＴ３アーム駆動ピン１０ｃが設けられている。
【００４４】
Ｓアーム４は、サブシャーシ１上の支点４ａの周りに回動自在に支持されている。Ｓアーム４の一端の裏方向にはＳアーム駆動ピン４ｃが、他端の表方向にはＳリンクピン４ｂが設けられている。
【００４５】
Ｓリンクピン４ｂには、Ｓリンク５が回動自在に取り付けてあり、またＳリンク５の他端には、Ｓボート６がボス６ｂを介して回動自在に取り付けてある。
【００４６】
Ｔアーム７は、Ｓアーム４と同様の構成である。Ｔアーム７は、サブシャーシ１上の支点７ａの周りに回動自在に支持され、一端の裏方向にはＴアーム駆動ピン７ｂが設けられており、他端の表方向にはＴリンクピン８ａが設けられている。
【００４７】
Ｔリンク８の一端はＴリンクピン８ａを介してＴアーム７に対して回動自在に取り付けられてある。また、Ｔリンク８の他端には、Ｔボート９がボス９ｂを介して回動自在に取り付けてある。
【００４８】
Ｓボート６にはテープをガイドするＳローラポスト６ａが植立されてあり、Ｔボート９には、同じくテープをガイドするＴローラポスト９ａ及びＴ１ポスト９ｃが植立されてある。
【００４９】
このように全てのテープ引き出し部材２，６，９，１０はサブシャーシ１の上に設けられている。
【００５０】
Ｓリール台１１、Ｔリール台１２は、それぞれ軸１１ａ，１２ａの周りに回転自在に支持されている。Ｓリール台１１の外周部には、ギア部１１ｂが設けられており、Ｔリール台１２の外周部にギア部１２ｂが設けられている。Ｓリール台１１、Ｔリール台１２はカセット（ここでは図示せず）をサブシャーシ１に装着した際、カセットのリールハブと係合し、テープの巻き取りが行われる。また、Ｓリール台１１の周囲にはテープ走行時のテープテンションを制御するためのブレーキバンド（ＴＲバンド）３が巻き付いており、ＴＲバンド３の一端はＴＲアーム２の回動部２ｄに回動自在に支持され、他端はサブシャーシ１上の回動部３ａに回動自在に支持されている。そして、テープ走行時にはＴＲアーム２に取り付けたＴＲバネ２ｅの力により、ＴＲバンド３を介しＳリール台１１に負荷トルクが働く構成となっている。
【００５１】
サブシャーシ調整板１ｂには、溝穴１ａが設けてあり、サブシャーシ調整板１ｂは、サブシャーシ１にねじ（図示せず）により固定されている。
【００５２】
サブシャーシ１には、また、長孔１ｃが設けられている。大穴部１ｄは、長孔１ｃの上部に設けられている。なお、図１では、図が複雑になることを防ぐために、第１のカバープレート３６と第２のカバープレート３７及び、ホトセンサー３８ａ、３８ｂを省略して示している。なお、これらの構成要素は図７〜９に示される。
【００５３】
次に本発明の磁気記録再生装置１００のメインシャーシユニット６０の構成について図２を参照して説明する。図２は、本発明の磁気記録再生装置１００のメインシャーシユニット６０の平面図である。
【００５４】
メインシャーシユニット６０は、メインシャーシ２１と、メインシャーシ２１上に設けられたキャプスタン３１と、キャプスタン３１上に植立されたキャプスタン軸３１ａと、ドライブギア３２と、タイミングベルト３３と、センターギア３４とを含む。
【００５５】
メインシャーシ２１には、４本のカム溝穴２１ａ，２１ｂ，２１ｃ，２１ｄが設けてある。メインシャーシ２１の手前端部２１ｅはドライブギア３２およびセンターギア３４の両側面で回転ヘッドシリンダ４１（図２では図示せず）の方向に大きく切り欠かれている。メインシャーシ２１の手前端部２１ｅは、磁気記録再生装置１００の厚み方向においてＬ字状に構成されている。手前端部２１ｅは、所定の厚さを有する。
【００５６】
モータ２２は正逆回転可能であり、モータ２２の回転力は、モータウォーム２３、連結ウォーム２４、そして、ギア２５，２６を介し、モードギア２７に伝えられる。
【００５７】
モードギア２７は支点２７ａを中心に回転可能であり、モードギア２７の上面には、サブシャーシ１（図１）と係合してサブシャーシ１を動かすサブシャーシ駆動ピン２７ｂが設けてあり、それにより、サブシャーシ１はメインシャーシ２１に対して移動する。
【００５８】
シリンダベース２８は、３つのねじ穴２８eでメインシャーシ２１にねじ止めされている。このシリンダベース２８上に回転ヘッドシリンダ４１（図２では図示せず）をのせて、シリンダベース２８の裏面から３つのシリンダ止め用ねじ穴２８ｆを用いて回転ヘッドシリンダ４１をねじ止めする。
【００５９】
また、ガイド溝２８ａ、２８ｂは、先に説明したサブシャーシ１上に搭載されたＳボート６、Ｔボート９がテープを引き出す際にＳボート６、Ｔボート９をガイドする。
【００６０】
ねじりコイルバネ２９，３０は、弾性体であり、所定の力の予圧を加えた状態でメインシャーシ２１上に固定されている。
【００６１】
ピンチローラ（図示せず）がキャプスタン軸３１ａにテープを押圧した状態で、キャプスタン軸３１ａは回転し、テープを駆動する。キャプスタンギア３１ｂは、キャプスタン３１と一体的に構成されている。
【００６２】
ドライブギア３２は、メインシャーシ２１上に設けられた回転軸３２ａにより軸支されている。ドライブギア３２は、上部ギア３２ｂと、下部ギア３２ｃとを含む。タイミングベルト３３は、ドライブギア３２の上部ギア３２ｂとキャプスタンギア３１ｂとに張架されている。
【００６３】
センターギア３４は、メインシャーシ２１上に設けられた回転軸３４ａにより軸支されている。センターギア３４は、上部ギア３４ｂと、下部ギア３４ｃとを含む。ドライブギア３２の下部ギア３２ｃとセンターギア３４の下部ギア３４ｃとは、噛み合っている（後述の図１０、図１１、図１２参照）。
【００６４】
図３は、アイドラ３５の平面図である。
【００６５】
図３に示されるアイドラ３５は、メインシャーシユニット６０に搭載される。
【００６６】
アイドラ３５は、アイドラアーム３５ａと、アイドラギア３５ｃと、アイドラギア押圧部３５ｅとを含む。
【００６７】
磁気記録再生装置１００を組み立てた状態において、アイドラアーム３５ａは、回動軸３５ｂの周りに回動自在にメインシャーシ２１に保持される。アイドラギア３５ｃは、回転軸３５ｄを中心に回転自在にアイドラアーム３５ａに保持される。アイドラギア押圧部３５ｅは、アイドラアーム３５ａと一体に構成されており、アイドラギア３５ｃを押圧して、アイドラギア３５ｃの回転負荷トルクを発生させている。
【００６８】
以下、図４〜図１２を参照して本発明の磁気記録再生装置１００の構成と動作を説明する。
【００６９】
図４は、本発明の磁気記録再生装置１００のカセット装着状態での平面図である。図５は、本発明の磁気記録再生装置１００のローディング途中状態での平面図である。図６は、本発明の磁気記録再生装置１００の記録再生状態での平面図である。なお、図４，図５，図６において、図が複雑になることを防ぐために、第１のカバープレート３６と第２のカバープレート３７及び、ホトセンサー３８ａ、３８ｂを省略して示している。これらの構成要素は図７〜９に示される。
【００７０】
図７は、本発明の磁気記録再生装置１００のカセット装着状態での平面図である。図８は、本発明の磁気記録再生装置１００のローディング途中状態での平面図である。図９は、本発明の磁気記録再生装置１００の記録再生状態での平面図である。
【００７１】
また、図８では、図が複雑になることを防ぐために、サブシャーシユニット５０とメインシャーシユニット６０の構成部品のいくつかを省略して示している。
【００７２】
なお、図４，図５，図６，図７，図８，図９において、図が複雑になることを防ぐために、カセット３９のテープ４０以外を省略して示している。なお、テープ４０は磁気テープである。また、カセット装着状態におけるテープをテープ４０ａとし、ローディング途中状態におけるテープをテープ４０ｂとし、記録再生状態におけるテープをテープ４０ｃとする。
【００７３】
図１０は、図７中の断面指示線Ｇ１における磁気記録再生装置１００の部分断面図である。図１１は、図８中の断面指示線Ｇ２における磁気記録再生装置１００の部分断面図である。図１２は、図９中の断面指示線Ｇ３における磁気記録再生装置１００の部分断面図である。
【００７４】
図４、図５、図６、図７、図８、図９、図１０、図１１、図１２では、前述したように、ドライブギア３２は、メインシャーシ２１上に設けられた回転軸３２ａにより軸支されている。ドライブギア３２は、上部ギア３２ｂと、下部ギア３２ｃとを含む。
【００７５】
タイミングベルト３３は、ドライブギア３２の上部ギア３２ｂとキャプスタンギア３１ｂに張架されている。センターギア３４は、メインシャーシ２１上に設けられた回転軸３４ａにより軸支されている。
【００７６】
センターギア３４は、上部ギア３４ｂとで、下部ギア３４ｃとを含む。ドライブギア３２の下部ギア３２ｃとセンターギア３４の下部ギア３４ｃは、噛み合っている。
【００７７】
アイドラ３５は、サブシャーシユニット５０の供給リール台１１と巻取リール台１２とを駆動する。
【００７８】
アイドラ３５の回動軸３５ｂは、メインシャーシ２１に設けられた回転軸３４ａのボス部３４ｆ（図１０〜図１２参照）に挿入され、カットワッシャー３５ｆ（図１０〜図１２参照）によって保持されている。
【００７９】
センターギア３４の上部ギア３４ｂは、アイドラギア３５ｃと噛み合っている。
【００８０】
メインシャーシ２１上に設けられた回転軸３４ａは、サブシャーシ１に設けられた長孔１ｃを貫通している。このようにしてキャプスタン軸３１ａの回転は、タイミングベルト３３、ドライブギア３２、センターギア３４を介してアイドラ３５に伝わり、アイドラ３５は、キャプスタン軸３１ａの回転方向によって、Ｓリール台１１の外周に設けられたギア部１１ｂもしくは、Ｔリール台１２の外周に設けられたギア部１２ｂと噛み合って、Ｓリール台１１もしくはＴリール台１２を回転駆動する。
【００８１】
第１のカバープレート３６がサブシャーシ１上に取り付けられ、その上面には、カセット３９に設けられた図示されないリールロック機構を解除するためのリールロック解除部３６ａが設けられている。リールロック解除部３６ａは、カセット装着時にカセット３９内に挿入されて、カセット３９内のリールロック機構を解除する。第２のカバープレート３７がサブシャーシ１上に取り付けられ、その上面には、ＬＥＤ３７ａが設けられており、ＬＥＤ３７ａは、カセット３９を装着する時にカセット３９内に挿入されて、ＬＥＤ３７ａが発した光がカセット３９内部のテープを通過した後、サブシャーシ１の両側に設けられたホトセンサー３８ａ、３８ｂによって感知されることにより、テープの始終端の検知を行う。
【００８２】
なお、リールロック解除部３６ａおよびＬＥＤ３７ａは、所定の間隔だけ離れて配置されている。
【００８３】
図４および図７に示したカセット装着状態において、サブシャーシ１は、図示されないガイド手段によって、メインシャーシ２１に対して矢印Ａ方向に、摺動可能な状態でガイドされる。また、ＴＲアーム２のＴＲアーム駆動ピン２ｃは、メインシャーシ２１のカム溝２１ａに摺動可能に係合し、Ｔ３アーム１０のＴ３アーム駆動ピン１０ｃはカム溝２１ｃに、Ｓアーム４のＳアーム駆動ピン４ｃはカム溝２１ｂに、そしてＴアーム７のＴアーム駆動ピン７ｂは、カム溝２１ｄに摺動可能に係合している。また、メインシャーシ２１のモードギア２７上のサブシャーシ駆動ピン２７ｂは、サブシャーシ調整板１ｂ（図１参照）の溝穴１ａに摺動可能に係合している。図４では、各テープ引き出し部材２，６，９，１０の引き出しポスト２ｂ，６ａ，９ａ，１０ｂは全てテープ４０の手前、カセット３９の開口部の中にある。この状態から、モータ２２が回転すると、モードギア２７が矢印Ｂ方向に回転し、サブシャーシ駆動ピン２７ｂも矢印Ｂ方向に回転し、このサブシャーシ駆動ピン２７ｂがサブシャーシ調整板１ｂの溝穴１ａを移動し、サブシャーシが矢印Ａ方向に移動する。
【００８４】
ここで図１３を参照して、サブシャーシ１がモードギア２７により駆動される動作について説明する。ここでは、サブシャーシ１に固定されているサブシャーシ調整板１ｂについて説明することによって、サブシャーシ１の動作を説明する。
【００８５】
図１３（１）〜（６）は、本発明の実施の形態におけるサブシャーシ１の駆動においてサブシャーシ駆動ピン２７ｂとサブシャーシ調整板１ｂとの位置関係を示す平面図である。
【００８６】
サブシャーシ調整板１ｂの溝穴１ａの構成について説明する。溝穴１ａは、円弧部“Ｌ”と円弧部“Ｍ”と直線部“Ｎ”とを含む。円弧部“Ｌ”は、円弧部“Ｍ”と連続しており、円弧部“Ｍ”は直線部“Ｎ”と連続している。円弧部“Ｌ”と円弧部“Ｍ”は、図１３に示されるように反対の方向に凸形状をしている。
【００８７】
図１３（１）はカセット取り出し位置の状態であり、このカセット取り出し位置の状態は、図４、図７、図１０に示したカセット装着状態と同じ状態である。この場合のサブシャーシ駆動ピン２７ｂの位置を、位置２７ｂ１で示す。
【００８８】
図１３（２）は、カセット挿入位置である。図１３（１）と（２）において、サブシャーシ駆動ピン２７ｂは、円弧部“Ｌ”を進み、位置２７ｂ２にくる。円弧部“Ｌ”は、モードギア２７の回転中心２７ａを中心とする円弧形状であり、サブシャーシ駆動ピン２７ｂの回転円弧と同芯円をしている。そのため、ここでは、サブシャーシ調整板１ｂは矢印Ａ方向へ移動しないこととなる。これは、カセット取り出し位置からカセット挿入位置の間、サブシャーシ１は停止している必要があり、この間、移動しないことを意味している。
【００８９】
次にさらにモードギア２７が矢印Ｂ方向に回転すると、図１３（３）のように、サブシャーシ駆動ピン２７ｂは、位置２７ｂ３に至り、円弧部“Ｍ”に入ってくる。円弧部“Ｍ”は、この位置においては、モードギア２７と同芯円をしていないため、サブシャーシ調整板１ｂは、サブシャーシ駆動ピン２７ｂに押されて矢印Ａ方向に移動している。これは、サブシャーシ１（図１３には示さず）が同様に矢印Ａ方向に移動していることを意味している。
【００９０】
さらにモードギア２７が矢印Ｂ方向に回転すると、図１３（４）に示すようにサブシャーシ駆動ピン２７ｂは位置２７ｂ４に至る。この時、サブシャーシ駆動ピン２７ｂは溝穴１ａの直線部“Ｎ”と係合しており、サブシャーシ１は、矢印Ａ方向に移動を続けている。
【００９１】
そしてさらにモードギア２７が矢印Ｂ方向に回転を続けると図１３（５）に示すようにサブシャーシ駆動ピン２７ｂは位置２７ｂ５に至り、再び円弧部“Ｍ”に入ってくる。図１３（５）の状態に於いては、円弧部“Ｍ”は、サブシャーシ駆動ピン２７ｂ５の回転円弧と同芯円をしている。従って、サブシャーシ調整板１ｂは矢印Ａ方向へ移動せず停止する。この状態は、図６、図９、図１２に示した記録再生状態と同じ状態で、カセット３９内よりテープが引き出された位置にサブシャーシ１が移動した状態でストップした位置である。従って、これ以上サブシャーシ１はＡ方向に移動できない。一方、モードギア２７は、これ以降もテープを走行させる位置（プレイモード）を形成するためにさらにＢ方向に回転する。しかし、先に述べたように、サブシャーシ駆動ピン２７ｂの位置２７ｂ５は、円弧部“Ｍ”に有るため、サブシャーシ調整板１ｂは矢印Ａ方向に移動せず、図１３（６）の状態、つまり、記録または再生を行うプレイ位置に至る。また、モードギア２７が矢印Ｂ方向と逆方向に回転した場合、これらとは逆方向の動きで、サブシャーシ調整板１ｂは矢印Ａ方向とは逆方向に移動する。
【００９２】
図６、図９、図１２の状態、及び、図１３（５）、図１３（６）の記録再生状態は、回転ヘッドシリンダ４１にテープ４０が所定の角度巻回されてテープ走行系が完成された状態である。
【００９３】
このように、単純に回転運動するモードギア２７に直接サブシャーシ駆動ピン２７を植立させても、サブシャーシ１の溝穴１ａの形状を工夫する事により、所定の区間サブシャーシ１を停止させ、また移動させることができる。さらに、溝穴１ａの溝幅は、サブシャーシ駆動ピン２７ｂの直径と略略同じでよいため、ここに余計な隙間を設けることなく、安定してサブシャーシ１を駆動することができる。以上サブシャーシ１の駆動方法を説明した。
【００９４】
次に図４から図５、図６（図７から図８、図９または図１０から図１１、図１２）とサブシャーシ１が移動し、テープ４０が引き出される動作を説明する。
【００９５】
図５は図４からサブシャーシ１が矢印Ａ方向に少し進んだ状態である。図５において、サブシャーシ駆動ピン２７ｂとサブシャーシ調整板１ｂの溝穴１ａの位置関係は、先に図１３を参照して説明した様に、モードギア２７が矢印Ｂ方向に回転し、図１３（３）テープ引き出し途中１の位置に来た状態である。図５においては、前述したようにＴＲアーム２，Ｓアーム４，Ｔアーム７，Ｔ３アーム１０の各々の駆動ピン２ｃ、４ｃ、７ｂ、１０ｃが、メインシャーシ２１のカム溝２１ａ、２１ｂ、２１ｄ、２１ｃと各々係合しており、これに規制されて各々矢印Ｃ，Ｄ，Ｅ，Ｆ方向に回転し、図５の状態まで引き出されている。テープ引き出し部材であるＳボート６，Ｔボート９は、シリンダベース２８のガイド溝２８ａ，２８ｂにガイドされ図５に示された位置まで引き出されている。そしてこの結果、テープ４０ｂまで引き出されている。
【００９６】
さらに、モードギア２７が矢印Ｂ方向に回転し、サブシャーシ１がさらに矢印Ａ方向に移動し、テープ４０ｂが回転ヘッドシリンダ４１に巻回し磁気記録再生ができる状態まで来た位置が図６、図９、図１２である。
【００９７】
図６、図９、図１２の状態は、サブシャーシ駆動ピン２７ｂと溝穴１ａの位置関係では、図１３（５）の状態である。
【００９８】
図１３（６）はさらにモードギア２７が矢印Ｂ方向に回転し、ピンチローラ（図示せず）がキャプスタン軸３１ａにテープ４０ｃを押圧し、キャプスタン軸３１ａが回転して、テープ４０ｃを駆動する状態（プレイモード）である。
【００９９】
図１３（５）から図１３（６）の状態にモードギア２７が矢印Ｂ方向に回転しても、サブシャーシ１は矢印Ａ方向に移動せず図６、図９、図１２の位置を保つことができる。
【０１００】
また、図６、図９、図１２の状態において、テープ引き出し部材であるＳボート６は、ねじりコイルバネ２９（図２）によりＳアーム４、Ｓリンク５を介して位置決め部２８ｃに押圧され位置決めされている。同様にＴボート９は、ねじりコイルバネ３０（図２）により、Ｔアーム７，Ｔリンク８を介して位置決め部２８ｄに押圧され位置決めされている。
【０１０１】
この押圧位置決め機構を、図１４，図１５を参照して説明する。図１４は、図６、図９の要部を拡大した平面図である。
【０１０２】
図１４を参照して、Ｓボート６の押圧位置決め方法について説明する。サブシャーシ１上のＳアーム４は、Ｓアーム駆動ピン４ｃがメインシャーシ２１上のカム溝２１ｂにガイドされながら図１４の状態に至る。この状態において、Ｓアーム駆動ピン４ｃはメインシャーシ２１上に装着されている弾性体であるねじりコイルバネ２９に当接し、たわませるように構成されている。従ってＳアーム４は、ねじりコイルバネ２９の力により回転中心２９ａの周りにＤ方向に回転力を受ける。この力により、Ｓリンク５は矢印Ｄ１方向に、Ｓボート６は矢印Ｄ２方向に押圧され、シリンダベース２８上に存在する位置決め部２８ｃに押圧位置決めされテープの引き出しが完了する。同様に、Ｔボート９も、弾性体であるねじりコイルバネ３０によりＴアーム７は、ねじりコイルバネ３０の力により回転中心３０ａの周りにＥ方向に回転力を受ける。この力により、Ｔリンク８は矢印Ｅ１方向に、Ｔボート９は矢印Ｅ２方向に押圧され、シリンダベース２８上に存在する位置決め部２８ｄに押圧位置決めされテープの引き出しが完了する。このようにＳボート６、Ｔボート９の押圧機構としては、メインシャーシ２１に弾性体であるねじりコイルバネ２９、３０を固定しておくだけでよく極めて単純な構成で各ボートの位置決め機構が構成されて、部品点数の削減、省スペース化、品質の向上に貢献している。
【０１０３】
次に、Ｓボート６の位置決め機構について、図１５を参照して説明する。
【０１０４】
図１５は、Ｓボート位置決め機構の上面図（１）、側面図（２）、裏面図（３）で、各要素を模式的に描いた図である。図１５において、弾性体であるねじりコイルバネ２９によりＳアーム４はＰ方向に付勢され、これによりＳボート６のボス６ｂをシリンダベース２８のガイド溝部２８ａより下部をＳリンク５により押圧される。（（２）参照）。また、Ｓボート６の下部前方には平面方向から見て半円弧状の突起部６ｄが一体に設けてあり、またシリンダベース２８の回転ヘッドシリンダ４１近傍（図１５では図示せず）の裏面には、その法線がＳボート６の進行方向Ｑとは逆方向で且つ下向きの矢印Ｒ方向を向くような斜面が設けてある。
【０１０５】
次に、図１５を参照してＳボート６の押圧決め機構の動作について説明する。
【０１０６】
Ｓリンク５により下部を押圧されたＳボート６は、その先端部の突起６ｄがシリンダベース２８の斜面２８ｇに押圧される。これによりＳボート６の全体は矢印Ｇ方向に押圧されると同時に、矢印Ｒ方向の力を受け、それにより、Ｓボート６の下方をＱ方向に押圧されることによって矢印Ｓ方向の力を受ける。結果として、Ｓボート６の下面６ｃ（３点）はシリンダベース上面２８ｈに沿うこととなる。シリンダベース上面２８ｈ、およびＳボート６の下面６ｃは精度よく形成されており、これらが当接する事により、Ｓボート６は精度よくシリンダベース２８に位置決めされることとなる。このように、Ｓボート６と一体的に突起６ｄを設け、シリンダベース２８に斜面２８ｇを設けるという単純な構成により、精度よくテープ引き出し部材であるＳボート６を位置決めすることができる。Ｓボート６の上には、テープ走行上、メインシャーシ２１に対する傾き精度が極めて重要であるテープガイドポストである、Ｓローラポスト６ａが植立されている。
【０１０７】
Ｔボート９の位置決め機構は、Ｓボート６の位置決め機構と実質的に同様である。
【０１０８】
図１６は、本発明の実施の形態おけるテープ引き出し力の、力の流れ図を示したものである。図１６に示すように、モータ２２からの駆動力の流れがサブシャーシ１まで一本化し、サブシャーシ１を移動させることにより各テープ引き出し部材を動かすと言う極めてシンプルな力の流れを実現した。
【０１０９】
本発明の磁気記録再生装置１００の組み立てでは、図１に示したサブシャーシユニット５０を、図２に示したメインシャーシユニット６０の上に積み重ねて、サブシャーシユニット５０とメインシャーシユニット６０とを組み合わせた後、図３に示したアイドラ３５を搭載して磁気記録再生装置１００を組み立てる。
【０１１０】
図７に示すようにサブシャーシユニット５０には、リールロック解除部３６ａ及び、テープの始終端検知用の発光素子であるＬＥＤ３７ａが取り付けられている。サブシャーシユニット５０とメインシャーシユニット６０とを組み合わせた時に、センターギア３４の上部ギア３４ａは、サブシャーシ１の長孔１ｃの上部に設けられた大穴部１ｄより、挿入される。アイドラ３５は、図８、１１に示したローディング途中状態で、第１のカバープレート３６と第２のカバープレート３７との間の間隙より挿入される。
【０１１１】
以上のように、本実施の形態によれば、供給リールと巻取リールとを含むカセット３９よりテープ引き出し部材２、６、９、１０がテープ４０を引き出した後、回転ヘッドシリンダ４１にテープ４０を所定の角度、巻回してテープ４０の記録および再生の少なくとも一方を行なう磁気記録再生装置であって、さらにカセット３９が装着可能なサブシャーシユニット５０と、回転ヘッドシリンダ４１を搭載し、かつサブシャーシ１の回転ヘッドシリンダ方向４１への往復移動を案内するメインシャーシユニット６０とを備え、カセット３９内の供給リールと巻取リールにそれぞれ係合する供給リール台１１と巻取リール台１２をサブシャーシユニット５０に備え、テープ４０を駆動するためのキャプスタン３１をメインシャーシユニット６０に備え、キャプスタン軸３１ａの回転によって駆動され、かつ供給リール台１１と巻取リール台１２に係合し、供給リール台１１と巻取リール台１２を回転駆動するアイドラ３５をメインシャーシユニット６０に軸承する磁気記録再生装置１００において、メインシャーシユニット６０とサブシャーシユニット５０とを組み合わせた後、アイドラ３５をメインシャーシユニット６０に搭載することにより、サブシャーシユニット５０を大きなユニットで形成することができるため、製造コストが安価で、品質がよく、メンテナンス等での装置の分解、組み立てが容易な磁気記録再生装置が実現できる。
【０１１２】
また、カセット３９内に設けられた供給リール及び巻取リールのリールロック機構を解除するためのリールロック解除部３６ａとテープの始終端検知用の発光素子であるＬＥＤ３７ａとをサブシャーシユニット５０に設け、リールロック解除部３６ａとＬＥＤ３７ａとが搭載されたサブシャーシユニット５０をメインシャーシユニット６０に組み合わせた後、アイドラ３５をメインシャーシユニット５０に軸承することにより、サブシャーシユニット５０を、リールロック解除部材とテープの始終端検知用の発光素子を組み付けられた大きなユニットで形成することができるため、製造コストが安価で、品質がよく、メンテナンス等での装置の分解、組み立てが容易な磁気記録再生装置が実現できる。
【０１１３】
また、カセット３９内に設けられた供給リール及び巻取リールのリールロック機構を解除するためのリールロック解除部３６ａを搭載した第１のカバープレート３６と、テープの始終端検知用の発光素子であるＬＥＤ３７ａを搭載した第２のカバープレート３７をサブシャーシユニット５０に設け、第１のカバープレート３６と第２のカバープレート３７が搭載されたサブシャーシユニット５０をメインシャーシユニット６０に組み合わせた後、アイドラ３５を第１のカバープレート３６ａと第２のカバープレート３７ａとの間より挿入して、アイドラ３５をメインシャーシユニット６０に軸承することにより、サブシャーシユニット５０を、リールロック解除部３６ａを搭載した第１のカバープレート３６とＬＥＤ３７ａを搭載した第２のカバープレート３７を組み付けられた大きなユニットで形成することができるため、製造コストが安価で、品質がよく、メンテナンス等での装置の分解、組み立てが容易な磁気記録再生装置１００が実現できる。
【０１１４】
なお、以上の説明では、サブシャーシユニット５０とメインシャーシユニット６０とを組み合わせた後にアイドラ３５をメインシャーシユニット６０に搭載することを可能にする手段の一例として、第２のカバープレート３７にＬＥＤ３７ａを設け、第１のカバープレート３６にリールロック解除部３６ａを設ける形態を説明したが、本発明はこれに限定されない。
【０１１５】
上記の説明では、リールロック解除部３６ａとＬＥＤ３７ａが搭載されるカバープレートは、第１のカバープレート３６と第２のカバープレート３７とに２分割されているとしたが、１つのカバープレートの上に、リールロック解除部３６ａとＬＥＤ３７ａが搭載されていて、その１つのカバープレートの中央部に穴部があり、メインシャーシとサブシャーシを組み立てた後、その１つのカバープレートの穴部より、アイドラ３５を挿入して組み立ててもよい。
【０１１６】
図１７は、アイドラ３５をメインシャーシユニット６０に搭載するための穴部４２ａが設けられたカバープレート４２にリールロック解除部３６ａとＬＥＤ３７ａが設けられている点を除いて、図８に示したローディング途中状態の磁気記録再生装置１００と同様の状態の磁気記録再生装置１００Ａの平面図である。
【０１１７】
このように、サブシャーシユニット５０とメインシャーシユニット６０とを組み合わせた後にアイドラ３５をメインシャーシユニット６０に搭載することを可能にする手段として、穴部４２ａが設けられたカバープレート４２を用いてもよい。
【０１１８】
また、本発明において、カバープレートは必須の構成要素ではない。
【０１１９】
例えば、ＬＥＤ３７ａは、直接サブシャーシ１に設けられてもよい。
【０１２０】
また、リールロック解除部３６ａは、直接サブシャーシ１に設けられてもよい。
【産業上の利用可能性】
【０１２１】
以上のように本発明は、リールロック解除部材と発光素子とを含むサブシャーシユニットを、メインシャーシユニットの上に積み重ねて組み合わせた後、アイドラをメインシャーシユニットに搭載することにより、サブシャーシユニットとメインシャーシユニットという大きなユニットを予め形成しておくことができ、このことによって製造コストが安価で、品質がよく、メンテナンス等での装置の分解、組み立てが容易な磁気記録再生装置が実現できるという優れた効果が得られる。
【０１２２】
また、メインシャーシユニットとサブシャーシユニットとを異なる場所で製造し、さらに別の場所でメインシャーシユニットとサブシャーシユニットとアイドラとを組合わせる場合であっても、リールロック解除部材と発光素子とを含むサブシャーシユニットを予め形成することができるので、製造コストが安価で、品質がよく、メンテナンス等での装置の分解、組み立てが容易な磁気記録再生装置が実現できるという優れた効果が得られる。
【図面の簡単な説明】
【０１２３】
【図１】本発明の実施の形態における磁気記録再生装置のサブシャーシユニットの平面図
【図２】本発明の実施の形態における磁気記録再生装置のメインシャーシユニットの平面図
【図３】本発明の実施の形態におけるアイドラの平面図
【図４】本発明の実施の形態における磁気記録再生装置のカセット装着状態での平面図
【図５】本発明の実施の形態における磁気記録再生装置のローディング途中状態での平面図
【図６】本発明の実施の形態における磁気記録再生装置の記録再生状態での平面図
【図７】本発明の実施の形態における磁気記録再生装置のカセット装着状態での平面図
【図８】本発明の実施の形態における磁気記録再生装置のローディング途中状態での平面図
【図９】本発明の実施の形態における磁気記録再生装置の記録再生状態での平面図
【図１０】本発明の実施の形態における磁気記録再生装置の図７の断面指示線Ｇ１における部分断面図
【図１１】本発明の実施の形態における磁気記録再生装置の図８の断面指示線Ｇ２における部分断面図
【図１２】本発明の実施の形態における磁気記録再生装置の図９の断面指示線Ｇ３における部分断面図
【図１３】本発明の実施の形態におけるサブシャーシの駆動においてサブシャーシ駆動ピンとサブシャーシ調整板との位置関係を示す平面図
【図１４】本発明の実施形態におけるテープ引き出し部材の押圧部構成の平面図
【図１５】本発明の実施形態におけるテープ引き出し部材の位置決め方法を示す模式図
【図１６】本発明の実施の形態おけるテープ引き出し力の、力の流れ図
【図１７】本発明の別の実施の形態おける磁気記録再生装置のローディング途中状態での平面図
【図１８】従来の磁気記録再生装置のサブシャーシユニットの平面図
【図１９】従来の磁気記録再生装置のメインシャーシユニットの平面図
【図２０】従来のアイドラの平面図
【図２１】従来のカバープレートの平面図
【図２２】従来の磁気記録再生装置において、サブシャーシユニットとメインシャーシユニットとアイドラとを組み合わせた状態の平面図
【図２３】従来の磁気記録再生装置において、サブシャーシユニットとメインシャーシユニットとアイドラとを組み合わせた後に、さらに、カバープレートをサブシャーシユニットに取り付けた状態の平面図
【図１】
2004311008.tif 000003
【図２】
2004311008.tif 000004
【図３】
2004311008.tif 000005
【図４】
2004311008.tif 000006
【図５】
2004311008.tif 000007
【図６】
2004311008.tif 000008
【図７】
2004311008.tif 000009
【図８】
2004311008.tif 000010
【図９】
2004311008.tif 000011
【図１０】
2004311008.tif 000012
【図１１】
2004311008.tif 000013
【図１２】
2004311008.tif 000014
【図１３】
2004311008.tif 000015
【図１４】
2004311008.tif 000016
【図１５】
2004311008.tif 000017
【図１６】
2004311008.tif 000018
【図１７】
2004311008.tif 000019
【図１８】
2004311008.tif 000020
【図１９】
2004311008.tif 000021
【図２０】
2004311008.tif 000022
【図２１】
2004311008.tif 000023
【図２２】
2004311008.tif 000024
【図２３】
2004311008.tif 000025